(57)【要約】【課題】  ＩＣモジュールを容易に再利用することができるカバーを提供すること。【解決手段】  第一のシート１０１と第二のシート１０２との間に、カード１１０を挟み込むことができるようにし、この第一のシート１０１又は第二のシート１０２の何れか一方に、アンテナ部１０３と、ＩＣチップ１０４と、を取り付ける。【選択図】    図１
0003109500.tif 000002
【実用新案登録請求の範囲】
【請求項１】
第一のシートと第二のシートとをそなえ、これらの間にシート状物品を挟み込むことができるようにしたカバーであって、
前記第一のシート又は前記第二のシートの少なくとも何れか一方に、電磁波を受信するアンテナ部と、該アンテナ部に接続され、電磁波を介してデータの送受信を行うＩＣチップと、を配置したことを特徴とするカバー。
【請求項２】
前記第一のシート又は前記第二のシートの内少なくとも何れか一方は、前記シート状物品が外部から見える材料で形成されていることを特徴とする請求項１に記載のカバー。
【請求項３】
前記第一のシート又は前記第二のシートの内少なくとも何れか一方は、可撓性の材料により形成されていることを特徴とする請求項１又は２に記載のカバー。
【請求項４】
前記アンテナ部及び前記ＩＣチップは、前記カバーの内側面に設けられていることを特徴とする請求項１乃至３の何れか一項に記載のカバー。
【考案の詳細な説明】
【技術分野】
【０００１】
本考案は、値札、ラベル、カード等のシート状物品のカバーに関する。
【背景技術】
【０００２】
近年、アンテナ部とＩＣチップとからなるＩＣモジュールを基材内に内包し、外部のリーダ・ライタからの電磁波を介して電力を得ることで、ＩＣチップを外部のリーダ・ライタに直接接触させることなく、電磁波を介してデータの送受信を行うことができる非接触式のデータ管理システムが使用されている。
【０００３】
このような非接触式のデータ管理システムでは、例えば、値札、商品ラベル、ＩＤカード、社員証、定期券、通行券、クレジットカード、商品タグ、配送タグ等をアンテナとＩＣチップとを備えるＩＣラベルで形成したり、これらにアンテナとＩＣチップとを備えるＩＣシートを貼り付けたりすることで、ＩＣチップの中に記憶されている情報を管理するようにしている。
【０００４】
例えば、図３に表されているように、特開平１１−１３４４６０号公報に記載されている非接触式ＩＣラベル５００においては、非接触方式でデータの送受信を行うアンテナ部５０１と、情報記憶部を有するＩＣ回路５０２と、を基材シート５０３内に設け、基材シート５０３の裏面に粘着剤５０４を塗布し、この粘着剤５０４に剥離紙５０５を貼り付けている。
【０００５】
そして、基材シート５０３の表面には、商品の名称等の情報が印字されたラベル紙５０６が貼り付けられている。
【考案の開示】
【考案が解決しようとする課題】
【０００６】
しかしながら、従来の非接触式ＩＣラベル５００のように、商品の名称等の情報が印字されたラベル紙５０６が貼り付けられていたのでは、一度使用したＩＣモジュールを別のものに再利用するためには、このラベル紙５０６を剥がさなければならず、大変不便であった。
【０００７】
そこで、本考案は、ＩＣモジュールを容易に再利用することができるカバーを提供することを目的とする。
【課題を解決するための手段】
【０００８】
以上の課題を解決するため、本考案は、第一のシートと第二のシートとをそなえ、これらの間にシート状物品を挟み込むことができるようにしたカバーであって、前記第一のシート又は前記第二のシートの少なくとも何れか一方に、電磁波を受信するアンテナ部と、該アンテナ部に接続され、電磁波を介してデータの送受信を行うＩＣチップと、を配置したことを特徴とするカバーを提供する。
【０００９】
このように、アンテナ部を介して非接触方式でデータの送受信を行うＩＣチップをカバー側に設けたので、カバーの内部に挟み込むシート状物品、例えば、値札、商品ラベル、ＩＤカード、社員証、定期券、通行券、クレジットカード、商品タグ、配送タグ等によって、ＩＣチップの内部に記憶されるデータを代えることにより、このＩＣモジュールを再利用することが可能となる。
【００１０】
ここで、第一のシート又は第二のシートの内少なくとも何れか一方は、第一のシートと第二のシートの間に挟み込んだシート状物品が、第一のシートと第二のシートの内少なくとも何れか一方の外部から見える材料、例えば、透明な樹脂等で形成することが望ましい。
【００１１】
このような材料で形成することで、第一のシートと第二のシートの間に挟み込んだシート状物品、例えば、値札、商品ラベル、ＩＤカード、社員証、定期券、通行券、クレジットカード、商品タグ、配送タグ等をカバーの外部から見えるようにすることができる。
【００１２】
また、第一のシート又は第二のシートの内少なくとも何れか一方は、可撓性の材料、例えば、樹脂や皮革等により形成することが望ましい。
【００１３】
このような材料で形成することにより、第一のシートと第二のシートの間に挟み込んだシート状物品、例えば、値札、商品ラベル、ＩＤカード、社員証、定期券、通行券、クレジットカード、商品タグ、配送タグ等を傷つけることがなくなるとともに、カバーの外部の物を傷つけてしまうこともなくなる。
【００１４】
なお、アンテナ部及びＩＣチップは、カバーの内側面に設けておくことが望ましく、このような場合には、第一のシート又は第二のシートは電磁波を透過するものを使用する。
【００１５】
また、アンテナ部及びＩＣチップは、第一のシート又は第二のシートの少なくとも何れか一方に粘着テープを用いて貼り付けることが望ましい。
【考案の効果】
【００１６】
以上のように、本考案によれば、カバーの内部に挟み込まれるシート状物品によりＩＣチップに記憶されるデータを変えることができるため、ＩＣモジュールを容易に再利用することができる。
【００１７】
また、カバーの内部に挟み込まれる物を外部から見ることができるとともに、カバーの内部に挟み込まれる物やカバーの外部の物を傷つけてしまうことがなくなる。
【考案を実施するための最良の形態】
【００１８】
図１は、本考案の第一の実施形態に係るカバー１００の正面図である。
【００１９】
本実施形態に係るケース１００は、第一のシート１０１と、第二のシート１０２と、アンテナ部１０３と、ＩＣチップ１０４と、により構成されている。
【００２０】
本実施形態においては、第一のシート１０１は、黒色で可撓性を有するポリ塩化ビニルにより形成されており、また、第二のシート１０２は、無色透明で可撓性を有するポリ塩化ビニルにより形成されている。
【００２１】
また、第一のシート１０１と第二のシート１０２とは、ともに全体として四辺形に形成されており、これらの一辺（図１においては、上方に位置する辺１０１ａ及び辺１０２ａ）以外の三辺を溶接することにより連結されている。
【００２２】
従って、これらの溶接されていない辺１０１ａ、１０２ａから、第一のシート１０１及び第二のシート１０２の間にカード１１０を挿入することにより、このカード１１０を第一のシート１０１と第二のシート１０２の間に挟み込んで保持することができるようにされている。
【００２３】
第二のシート１０２の内側面、即ち、第一のシート１０１に対向する面には、アンテナ部１０３と、ＩＣチップ１０４と、が粘着テープ１０５により貼り付けられている。
【００２４】
アンテナ部１０３は、渦巻き状のコイルから形成されており、この渦巻き状のコイルからなるアンテナ部１０３には、ＩＣチップ１０４が接続されている。
【００２５】
そして、ＩＣチップ１０４は、アンテナ部１０３を介して、外部に設置されているリーダ／ライタ装置との間で、電磁波を介してデータを送受信することができるようにされている。
【００２６】
以上のように、本実施形態に係るカバー１００を構成したので、このカバー１００の内部に入れるカード１１０を替えた際に、ＩＣチップ１０４に記憶されているデータを入れ替えることにより、アンテナ部１０３及びＩＣチップ１０４からなるＩＣモジュールを再利用することが可能となる。
【００２７】
従って、例えば、カード１１０を社員証として使用している場合に、社員の退職、転職又は配置転換等により、新たなカード１１０を作り替える際にも、ＩＣチップ１０４の内部に記憶されているデータを新たな社員用に入れ替えるだけで、このＩＣモジュールを再利用することができるようになる。
【００２８】
なお、本実施形態においては、第二のシート１０２を透明のポリ塩化ビニルにより形成したので、カバー１００の内部に入れたカード１１０をカバー１００の外から見ることができる。
【００２９】
また、第一のシート１０１及び第二のシート１０２をともに可撓性を有するポリ塩化ビニルにより形成したので、中に入れるカード１１０が傷ついたり、カバー１００をポケット等に入れておいても、このポケット等が傷ついたりすることがなくなる。
【００３０】
なお、本実施形態においては、第一のシート１０１を黒色としたが、このような色に限定されるわけではなく、他の色を選択することも可能であるばかりか、第二のシート１０２のように透明の材料で構成することも可能である。
【００３１】
また、第二のシート１０２についても、本実施形態においては、無色透明にしているが、有色透明とすることも可能であり、また、第一のシート１０１のように外部から見えないようにすることも可能である。
【００３２】
さらに、本実施形態においては第一のシート１０１及び第二のシート１０２をともにポリ塩化ビニルにより形成しているが、ポリエステル、ポリプロピレン等他の樹脂や、皮革等により形成することも可能である。
【００３３】
また、第一のシート１０１と第二のシート１０２とは、ともに全体として四辺形に形成されているが、この形状についても、中に入れるカード１１０の形状に合わせて適宜変更することができる。
【００３４】
さらに、本実施形態においては、第一のシート１０１と第二のシート１０２との三辺を溶接することにより連結しているが、必ずしも三辺を連結しなければならないわけではなく、第一のシート１０１と第二のシート１０２との間に挿入したカード１１０を保持することができる範囲で適宜変更することが可能であり、さらに、第一のシート１０１と第二のシート１０２は、一体的に成型することも可能である。
【００３５】
また、本実施形態においては、アンテナ部１０３とＩＣチップ１０４とを第二のシート１０２に取り付けているが、第一のシート１０１に取り付けることも可能であり、また、これらの取り付け位置についても適宜変更することができる設計事項である。
【００３６】
さらに、本実施形態では、アンテナ部１０３とＩＣチップ１０４とを粘着テープ１０５で取り付けたが、この取り付け方法についても適宜変更することができる設計事項である。
【００３７】
図２は、本考案の第二の実施形態に係るカバー２００の正面図である。
【００３８】
本実施形態に係るケース２００は、第一のシート２０１と、第二のシート２０２と、アンテナ部１０３と、ＩＣチップ１０４と、により構成されている。
【００３９】
第一の実施形態と比較して、本実施形態は、第一のシート２０１と第二のシート２０２のみが異なるので、以下これらの相異点に関連する事項についてのみ説明する。
【００４０】
第一の実施形態のカバー１００は、四辺形のカード１１０用のカバー１００であるため、第一シート１０１及び第二のシート１０２についても全体として四辺形となるように形成しているが、本実施形態のカバー２００は、図２に表されているように、上下方向に長く延びる六角形の商品タグ２１１用のカバー２００であるため、第一のシート２０１及び第二のシート２０２（第一のシート２０１は第二のシートの背面にあるため、引き出し線を破線で表している）についても、この商品タグ２１１の形状に合わせて、上下方向に長く延びる六角形に形成している。
【００４１】
そして、第一のシート２０１と第二のシート２０２とは、これらの上辺２０１ａ、２０２ａ及び下辺２０１ｂ、２０２ｂ以外の辺を溶接することにより連結されている。
【００４２】
従って、これらの溶接されていない下辺２０１ｂ、２０２ｂから、第一のシート２０１及び第二のシート２０２の間に商品タグ２１１を挿入することにより、この商品タグ２１１を第一のシート２０１と第二のシート２０２の間に挟み込んで保持することができるようにされている。
【００４３】
なお、これらの溶接されていない上辺２０１ａ、２０２ａからは、商品タグ２１１の上端に取り付けられている紐２１２を通して、この紐２１２をカバー２０２の外部に出すことにより、この紐２１２で商品タグ２１１を商品に結びつけることができるようにされている。
【００４４】
また、本実施形態においては、第一の実施形態とは異なり、第一のシート２０１及び第二のシート２０２の双方を無色透明で可撓性を有するポリ塩化ビニルにより形成している。
【００４５】
以上のように、本実施形態に係るカバー２００を構成したので、このカバー２００の内部に入れる商品タグ２１１を替えたとしても、ＩＣチップ１０４に記憶されているデータを変えることにより、アンテナ部１０３及びＩＣチップ１０４からなるＩＣモジュールを再利用することが可能となる。
【００４６】
なお、本実施形態においては、第一のシート２０１及び第二のシート２０２の双方を透明のポリ塩化ビニルにより形成したので、カバー２００の内部に入れた商品タグ２１１を第一のシート２０１側及び第二のシート２０２側の双方の外部から見ることができる。
【００４７】
なお、本実施形態においては、第一のシート２０１及び第二のシート２０２を無色透明としたが、例えば、どちらか一方を光の透過しない有色にすることも可能であり、また、双方ともに有色透明にすることも可能である。
【００４８】
さらに、本実施形態においては第一のシート２０１及び第二のシート２０２をともにポリ塩化ビニルにより形成しているが、ポリエステル、ポリプロピレン等他の樹脂や、皮革等により形成することも可能である。
【００４９】
また、第一のシート２０１と第二のシート２０２とは、ともに全体として六角形になるように形成されているが、この形状についても、中に入れる商品タグ２１１の形状に合わせて適宜変更することができる。
【００５０】
さらに、本実施形態においては、第一のシート１０１と第二のシート１０２の上辺２０１ａ、２０２ａ及び下辺２０１ｂ、２０２ｂ以外の辺を溶接することにより連結されているが、このような態様に限定されず、第一のシート２０１と第二のシート２０２との間に挿入した商品タグ２１１を保持することができる範囲で適宜変更することができる。
【００５１】
また、本実施形態においても、アンテナ部１０３とＩＣチップ１０４とを第二のシート２０２に取り付けているが、第一のシート２０１に取り付けることも可能であり、また、これらの取り付け位置についても適宜変更することができる設計事項である。
【００５２】
さらに、本実施形態でも、アンテナ部１０３とＩＣチップ１０４とを粘着テープ１０５で取り付けたが、この取り付け方法についても適宜変更することができる設計事項である。
【図面の簡単な説明】
【００５３】
【図１】第一の実施形態に係るカバー１００の正面図。
【図２】第二の実施形態に係るカバー２００の正面図。
【図３】従来の非接触式ＩＣラベル５００の縦断面図。
【符号の説明】
【００５４】
１００、２００  カバー
１０１、２０１  第一のシート
１０２、２０２  第二のシート
１０３  アンテナ部
１０４  ＩＣチップ
１０５  接着テープ
【図１】
0003109500.tif 000003
【図２】
0003109500.tif 000004
【図３】
0003109500.tif 000005